(57)【特許請求の範囲】
【請求項１】
被検者の身体部位に接触させ、電流を印加して電流路を形成する電流印加用電極対と、前記身体部位の電流経路上に接触させ、電位差を測定する計測用電極対と、前記電位差に基づいて身体の部位の生体インピ−ダンスを測定するインピ−ダンス測定手段と、前記インピ−ダンス測定値を記憶する記憶手段と、被検者の身体部位の血流状態を表す指標値を求める演算手段と、前記指標値を表示する表示手段とを備え、前記演算手段により被検者の前記身体部位の血流状態を表す指標値が被検者の前記身体部位のインピ−ダンス測定値との相関に基づいて求められ、かつ前記電流印加用電極対が前記身体部位の患部の治療用電極として用いられることを特徴とするインピ−ダンス測定機能付き血流状態判定装置。
【請求項２】
被検者の身体部位に接触させ、電流を印加して電流路を形成する電流印加用電極対と、前記身体部位の電流経路上に接触させ、電位差を測定する計測用電極対と、前記電位差に基づいて身体の部位の生体インピ−ダンスを測定するインピ−ダンス測定手段と、前記インピ−ダンス測定値を日時と共に記憶する記憶手段と、被検者の身体部位の血流状態を表す指標値を求める演算手段と、前記指標値を表示する表示手段とを備え、前記演算手段により、前記身体部位における治療する前の血流状態を表す指標値が前記身体部位において治療する前に測定された第一のインピ−ダンス測定値との相関に基づいて求められ、及び、前記身体部位における治療後の血流状態を表す指標値が前記身体部位において治療後に測定された第二のインピ−ダンス測定値との相関に基づいて求められ、かつ前記電流印加用電極対が前記身体部位の患部の治療用電極として用いられることを特徴とするインピ−ダンス測定機能付き血流状態判定装置。
【請求項３】
被検者の同一身体部位の患部に対して、同一時間帯に測定、記憶された過去の複数の測定値に対して、前記身体部位において治療する前に測定された複数のインピ−ダンス測定値の最大のものを前記第一のインピ−ダンス測定値とし、前記身体部位において治療後に測定された複数のインピ−ダンス測定値の最小のものを前記第二のインピ−ダンス測定値とすることを特徴とする請求項２に記載のインピ−ダンス測定機能付き血流状態判定装置。
【請求項４】
被検者の同一身体部位の患部に対して、同一時間帯に測定、記憶された過去の複数の測定値に対して、前記身体部位において治療する前に測定された複数のインピ−ダンス測定値の平均値を前記第一のインピ−ダンス測定値とし、前記身体部位において治療後に測定された複数のインピ−ダンス測定値の平均値を前記第二のインピ−ダンス測定値とすることを特徴とする請求項２に記載のインピ−ダンス測定機能付き血流状態判定装置。
【請求項５】
前記被検者の身体部位の血流状態を表す指標値を基準値と比較し、複数のランクに区分する判定手段と、判定されたランクを表示するランク表示手段とを、さらに備えることを特徴とする請求項１乃至請求項４の何れかに記載のインピ−ダンス測定機能付き血流状態判定装置。
【発明の詳細な説明】
【０００１】
【発明の属する技術分野】
本発明は、身体のインピ−ダンスを測定し、この測定値に基づいて被検者の身体部位における血流状態の判定を行うことができるようにしたインピ−ダンス測定機能付き血流状態判定装置。
【０００２】
【従来の技術】
近年、ＯＡ機器や冷房の普及に伴い、長時間の無理な姿勢や冷えを強いられる機会が増えており、精神的ストレス等と合わせて、筋肉の緊張による血行不良と疲労が生じ、肩こりや腰痛、関節痛等の様々な症状を引き起こす原因となっている。そこで、これらの症状を緩和するための各種治療器が家庭に普及している。また、前記治療器による治療方法の例として、低周波治療、温灸治療等による治療方法があるが、低周波治療器にさらに別の機能を兼ね備えたものもある。例えば、特開昭５０−１２８３８６号公報に開示された電気治療器では、低周波治療器にツボ探査機能を兼ね備えさせており、特開平７−３１３５７０号公報に開示された電気治療器では、低周波治療器にツボ探査機能、及び温熱または温灸治療機能を兼ね備えさせたものが開示されている。これらの公報に開示された従来の電気治療器は、複数の治療機能を備えて、これらを併用すると共に、治療に先立ってツボ探査を行うことにより、治療効果を向上させることができるものである。
【０００３】
【発明が解決しようとする課題】
前述したような従来の電気治療器は、低周波治療器に複数の治療機能を備えて、これらを併用すると共に、ツボ探査機能を付加させたものである。しかしながら、前記のツボ探査機能は、いずれも患部を直接的に探査するものではなく、いわゆる東洋医学に基づくツボを探査用電極により探査して、インピ−ダンスの低い部位をツボと判定することを目的としている。また、このようなツボの探査は、患部の症状とツボの関連やツボの位置等についての専門的知識を必要とする。また、前記のツボの探査は、手等の身体末端用電極と探査用電極との間に電流を印加するとともに、前記電極間の電位差を測定することで、前記身体末端用電極と探査用電極の接触部位間のインピ−ダンスを求めている。また、前記のツボの探査方法は、所謂、2端子測定法によるもので、探査用電極と身体部位との接触抵抗の影響が大きく、ツボの位置の正確な探査が出来難いこともあり、家庭等において、必ずしも手軽に使用できて効果的な治療に利用できるものではなかった。
【０００４】
本発明の目的は、このような従来技術の問題点に鑑み、家庭等において、手軽に使用できる血流状態判定器であり、被検者の身体部位に電流印加用電極対を接触させ、前記電流印加用電極対間に電流を印加して電流経路を形成するとともに、前記身体部位の電流経路上に電位差計測用電極対を接触させて、測定された前記電位差測定用電極間の電位差に基づいて、身体の部位の生体インピ−ダンスを直接測定することにより、前記身体部位の血流状態を表す指標値を求め、さらに前記指標値により身体部位の血流状態の定量的な把握と、前記身体部位が患部であるかどうかの判定を行うことができる血流状態判定装置を提供することである。
【０００５】
【課題を解決するための手段】
上記課題を解決するため、本発明にかかるインピ−ダンス測定機能付き血流状態判定装置は、被検者の身体部位に接触させ、電流を印加して電流路を形成する電流印加用電極対と、前記身体部位の電流経路上に接触させ、電位差を測定する計測用電極対と、前記電位差に基づいて身体の部位の生体インピ−ダンスを測定するインピ−ダンス測定手段と、前記インピ−ダンス測定値を記憶する記憶手段と、被検者の身体部位の血流状態を表す指標値を求める演算手段と、前記指標値を表示する表示手段とを備え、前記演算手段により被検者の前記身体部位の血流状態を表す指標値が被検者の前記身体部位のインピ−ダンス測定値との相関に基づいて求められ、かつ前記電流印加用電極対が前記身体部位の患部の治療用電極として用いられることを特徴とする（請求項１）。
【０００６】
身体において、筋肉の緊張による血行不良が原因で、例えば肩こりのような患部が現れるが、このような患部では、末梢血管等の収縮によりインピ−ダンスが上昇するとされている。そして、本発明のインピ−ダンス測定機能付き血流状態判定装置にあっては、身体の部位の生体インピ−ダンスを測定して、前記身体部位の血流状態を表す指標値と前記インピ−ダンス測定値との相関に基づいて、血流状態を表す指標値を演算する演算式が容易に求められる。また、前記演算式を用いて、血流状態を表す指標値を求め、表示することによって、前記被検者の身体部位の血流状態を定量的に知ることができる。従って、本発明のインピ−ダンス測定機能付き血流状態判定装置によると、家庭内等で手軽に使用でき、身体部位の前記血流状態を正確に把握することができるとともに、前記身体部位が患部であるかどうかの判定を容易に行うことができる。
【０００７】
そして、本発明のインピ−ダンス測定機能付き血流状態判定装置において、被検者の身体部位に接触させ、電流を印加して電流路を形成する電流印加用電極対と、前記身体部位の電流経路上に接触させ、電位差を測定する計測用電極対と、前記電位差に基づいて身体の部位の生体インピ−ダンスを測定するインピ−ダンス測定手段と、前記インピ−ダンス測定値を日時と共に記憶する記憶手段と、被検者の身体部位の血流状態を表す指標値を求める演算手段と、前記指標値を表示する表示手段とを備え、前記演算手段により、前記身体部位における治療する前の血流状態を表す指標値が前記身体部位において治療する前に測定された第一のインピ−ダンス測定値との相関に基づいて求められ、及び、前記身体部位における治療後の血流状態を表す指標値が前記身体部位において治療後に測定された第二のインピ−ダンス測定値との相関に基づいて求められ、かつ前記電流印加用電極対が前記身体部位の患部の治療用電極として用いられることを特徴とする（請求項２）。
【０００８】
これによって、前記身体部位における治療する前の血流状態を表す指標値と、前記身体部位において治療する前に測定された第一のインピ−ダンス測定値との相関、及び、前記身体部位における治療後の血流状態を表す指標値と、前記身体部位において治療後に測定された第二のインピ−ダンス測定値との相関に基づいて、血流状態を表す指標値を演算する演算式が容易に求められる。また、また、前記演算式を用いて、血流状態を表す指標値を求め、表示することによって、前記身体部位の血流状態を定量的に知ることができる。
【０００９】
そして、上述のインピ−ダンス測定機能付き血流状態判定装置について、被検者の同一身体部位の患部に対して、同一時間帯に測定、記憶された過去の複数の測定値に対して、前記身体部位において治療する前に測定された複数のインピ−ダンス測定値の最大のものを前記第一のインピ−ダンス測定値とし、前記身体部位において治療後に測定された複数のインピ−ダンス測定値の最小のものを前記第二のインピ−ダンス測定値とすることを特徴とする（請求項３）。
【００１０】
これにより、被検者の同一身体部位の患部に対して、同一時間帯に測定、記憶された過去の複数の測定値に対して、前記身体部位において治療する前に測定された複数のインピ−ダンス測定値の最大のものを第一のインピ−ダンス測定値とし、前記身体部位において治療後に測定された複数のインピ−ダンス測定値の最小のものを第二のインピ−ダンス測定値として、これらの測定値と前記身体部位における治療前後のそれぞれの血流状態を表す指標値との相関に基づいて、血流状態を表す指標値を演算する演算式が容易に求められる。
【００１１】
さらに、上述のインピ−ダンス測定機能付き血流状態判定装置について、被検者の同一身体部位の患部に対して、同一時間帯に測定、記憶された過去の複数の測定値に対して、前記身体部位において治療する前に測定された複数のインピ−ダンス測定値の平均値を前記第一のインピ−ダンス測定値とし、前記身体部位において治療後に測定された複数のインピ−ダンス測定値の平均値を前記第二のインピ−ダンス測定値とすることを特徴とする（請求項４）。
【００１２】
これにより、被検者の同一身体部位の患部に対して、同一時間帯に測定、記憶された過去の複数の測定値に対して、前記身体部位において治療する前に測定された複数のインピ−ダンス測定値の平均値を第一のインピ−ダンス測定値とし、前記身体部位において治療後に測定された複数のインピ−ダンス測定値の平均値を第二のインピ−ダンス測定値として、これらの測定値と前記身体部位における治療前後のそれぞれの血流状態を表す指標値との相関に基づいて、血流状態を表す指標値を演算する演算式が容易に求められる。
【００１３】
また、上述のインピ−ダンス測定機能付き血流状態判定装置は前記被検者の身体部位の血流状態を表す指標値を基準値と比較し、複数のランクに区分する判定手段と、判定されたランクを表示するランク表示手段とを、さらに備えることを特徴とする（請求項５）。これによって、被検者の身体部位の症状の程度を、より定量的に知ることができるとともに、患部の判定が容易に行える。
【００１４】
また、上述のとおり、前記電流印加用電極対を前記身体部位の患部の治療用電極として用いることによって、患部の血行を促進させ、コリ等を効果的にほぐすと共に、疲労回復、筋肉の疲労緩和、神経痛や筋肉痛の緩和がなされる。
【００１５】
これによって、患部の症状に応じた治療が可能となり、患部の血行を促進させ、コリ等を効果的にほぐすと共に、疲労回復、筋肉の疲労緩和、神経痛や筋肉痛の緩和がなされる。
【００１６】
【発明の実施の形態】
次に、添付図面に基づいて、本発明の実施の形態について本発明をより詳細に説明する。
【００１７】
図１は、本発明の第一の実施の形態にかかるインピ−ダンス測定機能付き血流状態判定装置であって、治療機能を備えたものの外観を概略的に示す図である。図１に示すように、この実施の形態のインピ−ダンス測定機能付き血流状態判定装置は、身体部位のインピ−ダンスを測定することで、前記身体部位の血流状態を表す指標値を演算し、さらに、前記指標値の判定結果に基づいて、患部を探査するとともに、前記患部の低周波治療を行うためのインピ−ダンス測定兼治療ヘッド１を備えている。また、図２は、図１のインピ−ダンス測定兼治療ヘッド１の下面３の平面図であり、下面３は被検者の身体部位に直接あてがって、身体部位のインピ−ダンス測定あるいは患部の治療を行うところである。
【００１８】
また、インピ−ダンス測定兼治療ヘッド１の下面３には、図２に示すように、身体の部位に接触して、前記身体部位の血流状態を表す指標値の判定に基づく血流状態判定機能と低周波治療機能を発揮させるための電極群２ａ、２ｂ、２ｃ、２ｄが配設されている。また、身体部位のインピ−ダンス測定時及び前記身体部位の血流状態を表す指標値に基づく血流状態判定時には、電極２ａ及び２ｄは電流印加用電極として、電極２ｂ及び２ｃはインピ−ダンス計測用電極として作用し、患部の低周波治療時には電極２ａ及び２ｄが低周波治療用の電極として作用するようにされている。このように、インピ−ダンス測定時の電極は、所謂４端子測定法に基づく電極構成とされ、電極と身体の皮膚との間の接触インピ−ダンス等の影響を受けないので、身体部位のインピ−ダンスが安定且つ正確に測定できる。
【００１９】
そして、インピ−ダンス測定兼治療ヘッド１は支持ア−ム４を介して図１のように操作部５に連結され、操作部５の下部には把持部１１が設けられている。また、操作部５には表示部６及び操作スイッチ群７〜１０が配設されている。ここで、スイッチ７は電源スイッチを、スイッチ８は各種操作モ−ドでのスタ−トスイッチを示し、そして、スイッチ９はモ−ド切り換えスイッチを示し、さらにスイッチ１０は設定デ−タ選択スイッチを示す。
【００２０】
操作部５の内部には、図３のブロック図に示されている電源部２３、インピ−ダンス測定による血流状態指標値判定用のインピ−ダンス測定回路部２２、低周波治療用の電気回路部２４と、さらに前記電気回路部２４及びこの電気回路の動作を制御するための中央処理部２６等が内臓されている。また、図示しないが、前記インピ−ダンス計測用電極及び低周波治療用のそれぞれの電極は、支持ア−ム４の内部を通した導電線を介して、前記操作部５に内臓した電源部２３、インピ−ダンス測定による血流状態指標値判定用のインピ−ダンス測定回路部２２、低周波治療用の電気回路部２４と連結している。また、前記電源部２３、前記インピ−ダンス測定による血流状態指標値判定用のインピ−ダンス測定回路部２２及び低周波治療用の電気回路部２４は、操作部５の内部に設けるのでなく、前記インピ−ダンス測定兼治療ヘッド１の内部に設けるようにしてもよい。
【００２１】
図３は、本発明の第一の実施の形態にかかるインピ−ダンス測定機能付き血流状態判定装置であって、患部の治療機能を備えたもののブロック図である。本インピ−ダンス測定機能付き血流状態判定装置では、前述の電極群２ａ〜２ｄと、初期設定モ−ド、インピ−ダンス測定による血流状態指標値演算設定モ−ドや血流状態指標値判定モ−ド、及び低周波治療等の各種動作モ−ドと血流状態を表す指標値等の表示を行う表示部５と、電源スイッチ７、前記の各種モ−ドでのスタ−トスイッチ８、モ−ド切り換えスイッチ９、設定デ−タ選択スイッチ１０のスイッチ群７〜１０とにより構成され、さらに、前記インピ−ダンス測定による血流状態指標値判定用のインピ−ダンス測定回路部２２と低周波治療用の電気回路部２４と、前記電極２ａ、２ｄを前記インピ−ダンス測定回路部２２または低周波治療用の電気回路部２４のいずれかに接続を切り換えるための接点切り換え回路部２１と、電源部２３と、Ｉ／Ｏ部２５、中央処理部２６及び記憶部２７により構成されている。
【００２２】
前記インピ−ダンス測定回路部２２は、前記接点切り換え回路部２１を介して前記電極２ａ、２ｄに電流を印加すると共に、電極２ｂ、２ｃ間の電位差を検出することにより、被検者の身体部位の生体インピ−ダンスを測定することができる。また、前記低周波治療用の電気回路部２４は、前記接点切り換え回路部２１を介して前記電極２ａ、２ｄに低周波パルスを印加して患部の治療を行うことができる。また、前記電源部２３は前記インピ−ダンス測定回路部２２及び前記低周波治療用の電気回路部２４に接続され、これらの回路部に電源電圧を供給する。
【００２３】
さらに、前記表示部６，前記スイッチ群７〜１０、前記インピ−ダンス測定回路部２２、前記電源部２３，及び前記低周波治療用の電気回路部２４は、それぞれＩ／Ｏ部２５を介して本発明の第一の実施の形態であるインピ−ダンス測定機能付き血流状態判定装置で、治療機能を備えたものの全ての入出力処理と、全ての回路部の制御等を行う中央処理部２６及び記憶部２７に接続されている。そして、前記記憶部２７では、本実施の形態の装置の操作プログラム、指標値の演算及び判定プログラム、各測定及び各入力デ−タと各演算デ−タ等を記憶することができる。また、後に説明するように、本実施の形態の装置では、血流状態指標値を演算するための演算式を求めるために、被検者の患部の治療前後のインピ−ダンスを測定し、日時とともに記憶するようになっている。従って、時計手段２８が備えられている。
【００２４】
次に、本実施の形態のインピ−ダンス測定機能付き血流状態判定装置であって、治療機能を備えたものの動作について、そのメインル−チンである図４のフロ−チャ−ト及びその各サブル−チンである図５乃至図８のフロ−チャ−トに基づいて説明する。まず、図４のメインル−チンのフロ−チャ−トについて説明すると、ステップ１に於いて、図１の電源スイッチ７をＯＮすることで、電源が入り、本実施の形態の装置が動作可能状態になると共に、図１の表示部６が初期状態を示す表示となる。
【００２５】
続いてステップ２に於いて、図１のモ−ド切換えスイッチ８を押すことにより、図１の表示部が初期設定モ−ドの表示に切り換わる。この状態で、ステップ３に於いて、被検者が初期設定モ−ド選択の判断を行い、初期設定モ−ドを選択して、本装置の低周波治療機能についての初期値や、時計手段２８の日付及び時刻設定を行う場合には、ステップ４に於いて、図１のスタ−トスイッチ９を押して、ステップ５の初期設定モ−ドのサブル−チンに入る。さらに、前記初期設定モ−ドのサブル−チンが完了すれば、前記メインル−チンのステップ２に戻る。また、ステップ３に於いて、被検者が初期設定モ−ド選択の判断を行い、初期設定モ−ドを選択しない場合には、次のステップ６に進む。
【００２６】
続いて、ステップ６において、図１のモ−ド切換えスイッチ８を押すことにより、図１の表示部が血流指標値演算設定モ−ドの表示に切り換わる。この状態で、ステップ７に於いて、被検者が血流指標値演算設定モ−ド選択の判断を行い、血流指標値演算設定モ−ドを選択して、本装置についての血流状態を表す指標値を演算する演算式を求め設定する場合には、ステップ８に於いて、図１のスタ−トスイッチ９を押して、ステップ９の血流指標値演算設定モ−ドのサブル−チンに入る。さらに、前記設定モ−ドのサブル−チンが完了すれば、前記メインル−チンのステップ１０に進む。また、ステップ７に於いて、被検査が血流指標値演算設定モ−ド選択の判断を行い、血流指標値演算設定モ−ドを選択しない場合には、次のステップ１０に進む。
【００２７】
次に、ステップ１０に於いて、図１のモ−ド切換えスイッチ８を押すことにより、図１の表示部が血流状態指標値判定モ−ドの表示に切り換わる。この状態で、ステップ１１に於いて、被検者が血流状態指標値判定モ−ド選択の判断を行い、血流状態指標値判定モ−ドを選択して、身体部位のインピ−ダンスを測定することにより、身体部位の血流状態指標値を求め、前記指標値の判定結果に基づいて、身体部位の血流状態の把握を行おうとする場合には、ステップ１２に於いて、図１のスタ−トスイッチ９を押すことで、ステップ１３の血流状態指標値判定モ−ドのサブル−チンに入る。さらに、前記血流状態指標値判定モ−ドのサブル−チンが完了すれば、前記メインル−チンのステップ１４に進む。また、ステップ１１に於いて、被検者が血流状態指標値判定モ−ド選択の判断を行い、血流状態指標値判定モ−ドを選択しない場合には、次のステップ１４に進む。
【００２８】
続いて、ステップ１４に於いて、図１のモ−ド切換えスイッチ８を押すことにより、図１の表示部が患部治療モ−ドの表示に切り換わる。この状態で、ステップ１５に於いて、被検者が患部治療モ−ド選択の判断を行い、患部治療モ−ドを選択して、前記ステップ１３の血流状態指標値判定モ−ドにて、患部と判定された部位に対して治療を行おうとする場合には、ステップ１６に於いて、図１のスタ−トスイッチ９を押すことで、ステップ１７の患部治療モ−ドのサブル−チンに入る。さらに、前記患部治療モ−ドのサブル−チンが完了すれば、前記メインル−チンのステップ２に戻る。また、ステップ１５に於いて、被検者が患部治療モ−ド選択の判断を行い、患部治療モ−ドを選択しない場合にも、前記メインル−チンのステップ２に戻る。
【００２９】
続いて、図５のフロ−チャ−トに基づいて初期設定モ−ドについてのル−チンの説明をする。ステップ２１に於いて、設定デ−タ選択スイッチ１０をＯＮしてゆくことで、表示部６に低周波治療パルス数の設定デ−タが、例えば５Ｈｚ、１０Ｈｚ及び２０Ｈｚのように３段階で切り替わり表示されるようになっている。そして、ステップ２２に於いて、操作者が選択しようとするデ−タが表示された状態において、前記設定デ−タ選択スイッチ１０を、例えば２回続けてＯＮすることにより、前記低周波治療パルス数に関する表示デ−タが選択され、記憶部２７に記憶される。
【００３０】
また、ステップ２３に於いて、設定デ−タ選択スイッチ１０をＯＮしてゆくことで、表示部６に低周波治療出力強度の設定デ−タが、例えば５０Ｖ、１００Ｖ及び１５０Ｖのように３段階で切り替わり表示されるようになっている。そして、ステップ２４に於いて、操作者が選択しようとするデ−タが表示された状態において、前記設定デ−タ選択スイッチ１０を、例えば２回続けてＯＮすることにより、前記低周波治療出力強度に関する表示デ−タが選択され、記憶部２７に記憶される。さらに、ステップ２５に於いて、設定デ−タ選択スイッチ１０をＯＮしてゆくことで、表示部６に低周波治療時間の設定デ−タが、例えば５分、１０分及び１５分のように３段階で切り替わり表示されるようになっている。そして、ステップ２６に於いて、操作者が選択しようとするデ−タが表示された状態において、前記設定デ−タ選択スイッチ１０を、例えば２回続けてＯＮすることにより、前記低周波治療時間に関する表示デ−タが選択され、記憶部２７に記憶される。このように、本ル−チンにおいて、本実施の形態における血流状態判定装置に備えられる治療機能の設定が行われる。
【００３１】
続いて、図６のフロ−チャ−トに基づいて血流状態指標値演算設定モ−ドに関するル−チンの説明をする。まず、ステップ３１に於いて、操作部５のデ−タ選択入力スイッチ１０により、肩部、腰部、大腿部等のインピ−ダンス測定部位名を入力する。また、前記インピ−ダンス測定部位は、血行不良等による症状が現れた、治療を必要とする患部を選択する。次にステップ３２において、接点切り換え回路２１をインピ−ダンス測定モ−ドに切り換える。次にステップ３３に於いて、図１のインピ−ダンス測定兼治療ヘッド１の下面部３に配設された電極群２ａ〜２ｄをステップ１１において選択入力した身体部位にあてがい、その部位のインピ−ダンスＺ１を測定する。さらに、ステップ３４に於いて、前記測定されたインピ−ダンスを測定部位名及び測定日時と共に、記憶部２７に記憶する。続いて、ステップ３５において、前記インピ−ダンス測定された身体部位に対して、後に図８のフロ−に基づいて説明する治療を行う。また、前記治療が完了すると、続いてステップ３６に於いて、ステップ３３と同様の手順で、前記身体部位のインピ−ダンスＺ２を測定する。次にステップ３７において、前記測定されたインピ−ダンスＺ２を測定部位名及び測定日時と共に、記憶部２７に記憶する。
【００３２】
続いて、ステップ３８において、血流状態を表す指標値を演算する演算式の設定を行うかどうかの判断を行い、前記演算式の設定を行うと判断したときには、次のステップ３９に進み、前記演算式の設定に際し、過去のインピ−ダンス測定値を参照するかどうかの判断を行う。また、ステップ３８において、前記演算式の設定を行わないと判断したときには、本ル−チンを完了する。次に、ステップ３９において、過去のインピ−ダンス測定値を参照すると判断したときには、ステップ４０に進む。また、ステップ４０においては、過去に測定して、日時と共に記憶されている特定の身体部位における治療前後のインピ−ダンス測定値に基づいて、治療前後のそれぞれの代表値であるＺ１及びＺ２を求め記憶する。また、過去の複数のインピ−ダンス測定値は、被検者の身体部位におけるインピ−ダンスの日内変動の影響を避けるために、同一時間帯の測定値を選択することが望ましい。また、事前に適正な測定時間帯を設定することにより、同一時間帯においてのみ測定を行うようにしてもよい。続いて、ステップ４１においては、ステップ４０において求めた、治療前後の身体部位におけるそれぞれのインピ−ダンス測定値の代表値であるＺ１及びＺ２と、前記身体部位における治療前後のそれぞれの血流状態を表す指標値との相関に基づいて、回帰式を求める。さらに、ステップ４２において、ステップ３１において求められた回帰式の係数及び定数を記憶する。
【００３３】
また、身体部位における血液流量は、末梢血管等の拡張及び縮小に応じて変化することが知られているが、身体部位の患部に対して治療を行うことで、末梢血管等が拡張し、血液量が増加すと共に、前記身体部位におけるインピ−ダンスが減少する。また、身体部位における血液量を表す指標値と前記身体部位におけるインピ−ダンス測定値とは相関するとされ、例えば式（１）の回帰式で表わすことができる。
ＢＣ＝ａ×１／Ｚ＋ｂ・・（１）
ここで、ＢＣ：血液流量を表す指標値、Ｚ：身体部位における測定インピ−ダンス、ａ：回帰係数、ｂ：回帰定数
【００３４】
次に、回帰式（１）の回帰係数ａ及び回帰定数ｂを求める方法について、説明する。前述の血流指標演算設定モ−ドにおいて、被検者の身体部位における治療前後に測定したインピ−ダンス測定値であるＺ１及びＺ２を回帰式（１）のＺに代入してそれぞれ式（２）及び式（３）が得られる。
ＢＣ１＝ａ×１／Ｚ１＋ｂ・・（２）
ここで、ＢＣ１：治療前のインピ−ダンス測定値との相関に基づいて求められる指標値、Ｚ１：治療前のインピ−ダンス測定値
ＢＣ２＝ａ×１／Ｚ２＋ｂ・・（３）
ここで、ＢＣ２：治療後のインピ−ダンス測定値との相関に基づいて求められる指標値、Ｚ２：治療後のインピ−ダンス測定値
従って、式（２）及び式（３）から回帰係数ａ及び回帰定数ｂをそれぞれ求めることができる。
また、前記指標値ＢＣ１及びＢＣ２を、後に説明する指標値に対する複数のランクの最小及び最大の指標値と対応させることもできる。例えば、ＢＣ１をランク１とし、ＢＣ２をランク５として設定し、前記回帰係数ａ及び回帰定数ｂを求めて、回帰式（１）を決定することができる。
【００３５】
続いて、ステップ３９において、過去のインピ−ダンス測定値を参照しないと判断したときには、ステップ４３に進む。ステップ４３においては、ステップ３４及びステップ３７において、測定され記憶されている、被検者の身体部位の治療前後のそれぞれのインピ−ダンス測定値であるＺ１及びＺ２と、身体部位の血流状態を表す指標値との相関に基づいて、回帰式を求める。さらに、ステップ４４において、ステップ４３において求められた回帰式の係数及び定数を記憶することにより、血流状態指標値演算設定モ−ドのル−チンが完了する。
【００３６】
続いて、図７のフロ−チャ−トに基づいて、血流状態指標値判定モ−ドのル−チンについて説明する。まず、ステップ５１において接点切り換え回路２１をインピ−ダンス測定モ−ドに切り換える。次にステップ５２において、図１のインピ−ダンス測定兼治療ヘッド１の下面部３に配設された電極群２ａ〜２ｄを、血流状態指標値判定を行おうとする身体部位にあてがい、ステップ５３においてその部位のインピ−ダンスＺの測定を開始する。さらに、ステップ５４に於いて、前記測定開始されたインピ−ダンス測定値が安定しているかどうかの判定を行い、安定したと判定されれば、次のステップ５５に進み、前記インピ−ダンス測定値を記憶部２７に記憶する。
【００３７】
さらに、ステップ５６において、ステップ５５において記憶されたインピ−ダンス測定値に基づき、先に血流状態指標値演算設定モ−ドにて求めた血流状態を表す指標値ＢＣを演算する演算式を使用して、被検者の身体部位における血流状態を表す指標値ＢＣを求め、記憶部２７に記憶する。続いて、ステップ５７において、前記求められ、記憶部２７に記憶されている血流状態を表す指標値ＢＣを、中央処理部２６において、記憶部２７に記憶されている基準値と比較し、その判定結果を記憶するとともに、表示する。また、前記判定については、前記血流状態を表す指標値ＢＣを一つの基準値と比較して、基準値以下のときは、治療不要とし、基準値を超えるときは、測定した身体部位が、血行不良等による症状が生じている患部である可能性が高く、要治療として判定され、判定結果を表示するようにすることができる。
【００３８】
また、図１０の血流状態指標値の表示画面に示すように、前記血流状態を表す指標値ＢＣを複数の基準値と比較して、複数のランクのいずれかに判別し、その判別結果を表示するようにしてもよい。前記複数のランクとして、例えば、５段階のランクに区分して、ランク１を継続治療、ランク２を要治療、ランク３を要検査、ランク４を要注意、そしてランク５を正常として、表示することもできる。これによって、被検者が容易に身体部位の症状を把握することができ、症状の程度に応じた適切な治療による処置をとることが可能となる。また、ステップ５８においては、前記判定結果に基づいて、被検者が血流状態を表す指標についての測定を完了するかどうかの判断を行い、完了すると判断したときは、完了する。また、前記ステップにおいて、完了しないと判断した場合には、ステップ５９に進み、測定部位を変更して、新たな身体部位でのインピ−ダンス測定を行うためにステップ５３に戻る。このように、本ル−チンに於いては、身体部位の位置を変更しながら、その都度、インピ−ダンスを測定して、最終的に、治療を必要とする患部と認められる部位における測定にて測定を終了し、この身体部位に対して後に説明する治療を行うことができる。
【００３９】
続いて、図８のフロ−チャ−トに基づいて患部治療モ−ドに関するル−チンの説明をする。まず、ステップ６１に於いて、まず、治療手段として、本発明の実施の形態の血流状態判定装置に備えられた低周波治療機能を使用して、治療を行うかどうかの判断をする。そして、前記低周波治療機能を使用して、治療を行うと判断したときは、ステップ６２に進み、接点切り換え回路２１を低周波治療モ−ドに切り換える。次にステップ６３に於いて、前述の血流状態指標値判定モ−ドのル−チンで患部と判定された部位に対し、図１のインピ−ダンス測定兼治療ヘッド１の下面部３に配設された電極群２ａ〜２ｄをあてがい、その部位に低周波治療回路２４から供給される低周波パルスを印加することで、治療を開始する。また、この時、低周波パルスを出力する図３の低周波治療回路部５４は、前述の初期設定モ−ドル−チンで設定された低周波治療パルス数及び低周波治療出力強度に基づいて制御を行う。
【００４０】
次に、ステップ６４に於いて、同様に前記初期設定モ−ドル−チンで設定された低周波治療時間のタイマ−がＯＦＦになるまで治療が行われる。続いて、ステップ６５において、再び接点切り換え回路２１をインピ−ダンス測定モ−ドに切り換え、ステップ６８に進み、患部治療が完了する。また、このル−チンに於いて、治療中及び治療完了の状態を表示部６に表示するようにして、操作者が確認するようにすることもできる。また、ステップ６１に於いて、治療手段として、本発明の実施の形態の装置に備えられた低周波治療機能を使用して、治療を行うことをしないと判断したときは、ステップ６６に進み、患部の症状の程度に合わせた、本装置の低周波治療機能以外の適切な治療手段を選択し、ステップ６７において前記治療手段を用いて、治療を行う。さらに、前記治療が完了すればステップ６８に進む。
【００４１】
上記の実施の形態では、治療手段として、低周波パルス機能を備えたものとしたが、患部を過熱する電気ヒ−タ、或いはマッサ−ジ等の効果が得られるバイブレ−ション等の振動装置を備えるようにしてもよく、さらに複数の機能を組み合わせて、治療するようにしてもよい。このように、複数の治療手段を備えることによって、より患部の症状に合わせた効果的な治療ができる。
【００４２】
【発明の効果】
以上のように、本発明によれば、被検者の身体部位に対して、治療前後のインピ−ダンスを測定することで、前記身体部位の血流状態指標を演算する演算式を求めることができると共に、前記演算式で求めた血流指標値に基づいて、身体部位の患部判定ができると共に、患部の症状に合った効果的な治療を行うことができる。したがって、家庭等においても、手軽に使用できて、しかも効果的な治療が行える。
【図面の簡単な説明】
【図１】  本発明のインピ−ダンス測定機能付き血流状態判定装置の外観である。
【図２】  本発明のインピ−ダンス測定機能付き血流状態判定装置の電極群の平面図である。
【図３】  本発明のインピ−ダンス測定機能付き血流状態判定装置の構成を示すブロック図である。
【図４】  本発明のインピ−ダンス測定機能付き血流状態判定装置のメインル−チンのフローチャート。
【図５】  本発明のインピ−ダンス測定機能付き血流状態判定装置の初期設定モ−ドル−チンのフローチャート。
【図６】  本発明のインピ−ダンス測定機能付き血流状態判定装置の血流状態指標値演算設定モ−ドル−チンのフローチャート。
【図７】  本発明のインピ−ダンス測定機能付き血流状態判定装置の血流状態指標値判定モ−ドル−チンのフローチャート。
【図８】  本発明のインピ−ダンス測定機能付き血流状態判定装置の患部治療モ−ドル−チンのフローチャート。
【図９】本発明のインピ−ダンス測定機能付き血流状態判定装置の表示部における、血流状態判定の表示画面を表す図である。
【付号の説明】
１    インピ−ダンス測定兼治療ヘッド
２ａ〜２ｄ    電極群
３    インピ−ダンス測定兼治療ヘッド下面
４    支持ア−ム
５    操作部
６    表示部
７    電源スイッチ
８    スタ−トスイッチ
９    モ−ド切り換えスイッチ
１０    設定デ−タ選択スイッチ
１１    把持部
２１    接点切り換え回路
２２    インピ−ダンス測定回路
２３    電源部
２４    低周波治療回路
２５    Ｉ／Ｏ
２６    中央処理部
２７    記憶部
２８   時計手段
【図１】
0003927421.tif 000002
【図２】
0003927421.tif 000003
【図３】
0003927421.tif 000004
【図４】
0003927421.tif 000005
【図５】
0003927421.tif 000006
【図６】
0003927421.tif 000007
【図７】
0003927421.tif 000008
【図８】
0003927421.tif 000009
【図９】
0003927421.tif 000010